(57)【特許請求の範囲】
【請求項１】
タッチパネルのＣＲＴとオペレーションキーボードとを具備する操作盤において、
前記オペレーションキーボード表面に設けられたマウス操作スペースと、
前記マウス操作スペースの下面の前記オペレーションキーボード内に設けられ前記マウスが収納される箱状のマウス収納スペースと、
前記マウス収納スペースの周囲の前記オペレーションキーボードに設けられ一端が前記マウス収納スペースに開口し前記マウスのケ−ブルが導入される導入溝と、
この導入溝の一端に一端が連通し他端が前記マウス収納スペースに開口し前記マウスの収納時に前記マウスのケ−ブルが導入される収納溝と、
前記導入溝の一端に一端が連通し他端が前記オペレーションキーボードの表面に開口し前記マウスの操作時に前記マウスのケ−ブルが導入される操作溝と
を具備した事を特徴とする操作盤。
【請求項２】
タッチパネルのＣＲＴとオペレーションキーボードとを具備する操作盤において、
前記オペレーションキーボード表面に設けられたマウス操作スペースと、
前記マウス操作スペースの下面の前記オペレーションキーボード内に設けられ前記マウスが収納される箱状のマウス収納スペースと、
前記マウス収納スペースの上面を覆って設けられ一面が前記オペレーションキーボード表面と同一面をなす第１のマウスパッドと、
この第1のマウスパッドの他面に一面が接して設けられた第２のマウスパッドと、
前記マウス収納スペースの周囲の前記オペレーションキーボードに設けられ一端が前記マウス収納スペースに開口し前記マウスのケ−ブルが導入される導入溝と、
この導入溝の一端に一端が連通し他端が前記マウス収納スペースに開口し前記マウスの収納時に前記マウスのケ−ブルが導入される収納溝と、
前記導入溝の一端に一端が連通し他端が前記オペレーションキーボードの表面に開口し前記マウスの操作時に前記マウスのケ−ブルが導入される操作溝と
を具備した事を特徴とする操作盤。
【請求項３】
前記導入溝の途中に設けられ前記マウスのケ−ブルを係止し前記マウスのケ−ブルの操作時の長さを規定するケ−ブル係止部
を具備したことを特徴とする請求項１又は請求項２記載の操作盤。
【請求項４】
前記操作溝の途中に設けられ前記マウスのケ−ブルを把持固定し前記マウスが前記オペレーションキーボードから落下するのを防止するケ−ブルストッパー
を具備したことを特徴とする請求項１乃至請求項３の何れかに記載の操作盤。
【発明の詳細な説明】
【０００１】
【発明の属する技術分野】
本発明は、マウスの作業性が向上された操作盤に関するものである。
【０００２】
【従来の技術】
図１２は、従来より一般に使用されている従来例の構成説明図で、プロセスオートメイションシステム（ＰＡシステム）における、インフォメーション・コマンド・ステーション（ＩＣＳ）の操作盤に使用された例である。
【０００３】
図において、操作盤１は、ＣＲＴタッチパネル２とオペレーション・キーボード３とを有し、オペレーション・キーボード３に設けられた引き出し４内に、マウス５とマウスパッド６が配置されている。
【０００４】
これは、従来のインフォメーション・コマンド・ステーション（ＩＣＳ）においては、主たるポインティングデバイスは、ＣＲＴタッチパネル２とオペレーション・キーボード３であった。
【０００５】
マウス５は、主に、エンジニアリング用として使用されるため、引き出し４内に操作スペースを有していた。
このような配置は、マウス５が、あくまでもエンジニアリング用途で、オペレーション用途でない場合の構造である。
したがって、マウス５の常時使用には対応出来ない構造である。
【０００６】
【発明が解決しようとする課題】
しかしながら、このような装置において、今回、オペレーション用の主たるポインティングデバイスとして、マウス５が採用される事になった。
このため、従来例の構造と異なる構造にする必要性が生ずる。
【０００７】
つまり、マウス５は、常に、オペレータが簡単にアクセス出来る位置に配置する必要が有る。
更に、単純にオペレーション・キーボード３上に、マウス５を配置すると、マウス５の収納スペースや、マウス５の操作時にマウス５の落下の問題が発生する。
【０００８】
本発明は、上記の課題を解決するものである。
本発明の目的は、マウスの作業性が向上された操作盤を提供することにある。
【００１５】
【課題を解決するための手段】
この目的を達成するために、本発明においては、請求項１記載の操作盤において、
タッチパネルのＣＲＴとオペレーションキーボードとを具備する操作盤において、
前記オペレーションキーボード表面に設けられたマウス操作スペースと、前記マウス操作スペースの下面の前記オペレーションキーボード内に設けられ前記マウスが収納される箱状のマウス収納スペースと、前記マウス収納スペースの周囲の前記オペレーションキーボードに設けられ一端が前記マウス収納スペースに開口し前記マウスのケ−ブルが導入される導入溝と、この導入溝の一端に一端が連通し他端が前記マウス収納スペースに開口し前記マウスの収納時に前記マウスのケ−ブルが導入される収納溝と、前記導入溝の一端に一端が連通し他端が前記オペレーションキーボードの表面に開口し前記マウスの操作時に前記マウスのケ−ブルが導入される操作溝とを具備した事を特徴とする。
本発明の請求項２においては、
タッチパネルのＣＲＴとオペレーションキーボードとを具備する操作盤において、前記オペレーションキーボード表面に設けられたマウス操作スペースと、前記マウス操作スペースの下面の前記オペレーションキーボード内に設けられ前記マウスが収納される箱状のマウス収納スペースと、前記マウス収納スペースの上面を覆って設けられ一面が前記オペレーションキーボード表面と同一面をなす第１のマウスパッドと、この第1のマウスパッドの他面に一面が接して設けられた第２のマウスパッドと、前記マウス収納スペースの周囲の前記オペレーションキーボードに設けられ一端が前記マウス収納スペースに開口し前記マウスのケ−ブルが導入される導入溝と、この導入溝の一端に一端が連通し他端が前記マウス収納スペースに開口し前記マウスの収納時に前記マウスのケ−ブルが導入される収納溝と、前記導入溝の一端に一端が連通し他端が前記オペレーションキーボードの表面に開口し前記マウスの操作時に前記マウスのケ−ブルが導入される操作溝とを具備した事を特徴とする操作盤。
【００１６】
この結果、請求項１又は請求項２においては、操作時には、マウスのケ−ブルを導入溝と操作溝とを通して、容易にマウスを操作し、収納時には、導入溝と収納溝とを通して、マウスを容易に収納出来るので、マウスの作業性と格納性とに優れた操作盤が得られる。
【００１７】
本発明の請求項３においては、請求項１又は請求項２記載の操作盤において、
前記導入溝の途中に設けられ前記マウスのケ−ブルを係止し前記マウスのケ−ブルの操作時の長さを規定するケ−ブル係止部を具備した事を特徴とする。
【００１８】
この結果、マウスの操作時にケ−ブルが邪魔になる事無く、マウスの作業性に優れた操作盤が得られる。
【００１９】
本発明の請求項４においては、請求項１乃至請求項３の何れかに記載の操作盤において、
前記操作溝の途中に設けられ前記マウスのケ−ブルを把持固定し前記マウスが前記オペレーションキーボードから落下するのを防止するケ−ブルストッパーを具備した事を特徴とする。
【００２０】
この結果、マウスが地上に落下して破損する危険性が無く、マウスの作業性と安全性に優れた操作盤が得られる。
【００２１】
【発明の実施の形態】
以下図面を用いて本発明を詳しく説明する。
図１は本発明の一実施例の要部斜視説明図、図２は図１の要部詳細説明図、図３は図２の要部組立図、図４は図３の要部詳細説明図、図５は図４の要部詳細説明図、図６は図５のＡ―Ａ断面図、図７は図５のＢ―Ｂ断面図、図８は図４の要部詳細説明図、図９は図８の側断面図、図１０はマウスの使用状態説明図、図１１はマウスの収納状態説明図である。
【００２２】
図において、図１２と同一記号の構成は同一機能を表す。
以下、図１２と相違部分のみ説明する。
図において、マウス操作スペース１１は、オペレーションキーボード１２の表面に設けられている。
【００２３】
この場合は、オペレーションキーボード１２の表面の右手前側に設けられている。
箱状のマウス収納スペース１３は、マウス操作スペース１１の下面の、オペレーションキーボード１２内に設けられ、マウス５が収納される。
【００２４】
第１のマウスパッド１４は、マウス収納スペース１３の上面を覆って設けられ、一面１４１がオペレーションキーボード１２の表面と同一平面をなす。
この場合は、第１のマウスパッド１４は、スポンジ材の表面にポリカーボネイト層が形成されている。
【００２５】
第２のマウスパッド１５は、この第１のマウスパッド１４の他面１４２に一面１５１が接して設けられている。
この場合は、アルミ板が使用されている。
【００２６】
マウス収納スペース１３には、第１のマウスパッド１４と第２のマウスパッド１５とが配置出来るように縁取り部１３１が設けられている。
また、縁取り部１３１の頂面は、オペレーションキーボード１２の上面と同一平面になるように構成されている。
【００２７】
導入溝１６は、マウス収納スペース１３の周囲のオペレーションキーボード１２に設けられ、一端がマウス収納スペース１３に開口し、マウス５のケ−ブルが導入係止される。
【００２８】
係止部１６１は、導入溝１６の途中に設けられ図５、図６，図７に示す如く、テパー１６３のついた突起部１６２を有し、マウス５のケ−ブルが、係止固定される。
この場合は、３個の突起部１６２を有する。
なお、図７においては、マウス５のケ−ブルと溝部分との関係は、分かりやすいように、拡張して示されている。
【００２９】
係止部１６１は、マウス５の操作時において、マウス５のケ−ブルの操作時の長さを規定し、かつ、マウス５の操作時において、ケーブルが引っ張られる時などにおいても、そのケーブル長が不変とするためのものである。
【００３０】
この長さの設定はオペレータの任意であるが、長すぎるとテーブル上にケーブルがあふれ、オペレーションキーボード１２の操作に支障を与える可能性があり、また、短すぎてもマウス５の操作そのものに不具合感をもたらしてしまう。
即ち、マウス５の操作時において、ケ−ブル長が可変する事を防止して、ケ−ブル長が常に一定であることを確保する。
【００３１】
収納溝１７は、導入溝１６の一端に一端が連通し、他端がマウス収納スペース１３に開口し、マウス５の収納時に、マウス５のケ−ブルが導入される。
操作溝１８は、導入溝１６の一端に一端が連通し、他端がオペレーションキーボード１２の表面に開口し、マウス５の操作時にマウス５のケ−ブルが導入される。
【００３２】
操作溝１８の他端は、扇形のスロープ部１８１になっている。この操作溝１８の他端１８１の形状は、マウス５をマウスパッド１４，１５上で動作させる上で、ケーブルの動きを滑らかにさせるためのものである。
【００３３】
ケ−ブルストッパー１９は、図８，図９に示す如く、操作溝１８の途中に設けられ、マウス５のケ−ブルを把持固定し、マウス５がオペレーションキーボード１２から地上に落下するのを防止する。
【００３４】
また、マウス５のケ−ブルが、第１のマウスパッド１４や第２のマウスパッド１５を押し上げたり、マウス５のケ−ブルが、第２のマウスパッド１５にこすれて傷つく事を防止している。
【００３５】
マウス５の延長ケーブル２１は、操作盤の内部から穴２１１を通じて、２個のスタッド２１２で挟まれて固定されている。
延長ケーブル２１の終端にはコネクタ２２が設けられている。
【００３６】
以上の構成において、図１０，図１１に示す如く、マウス５のコネクタ５１は、コネクタ２２と接合されている。
マウス５のケ−ブルは、操作時においては、図１０に示す如く、導入溝１６，係止部１６１→操作溝１８，ケ−ブルストッパー１９の順に配置される。
【００３７】
なお、係止部１６１においては、ケーブルを係止部１６１に押し込みいれることでケーブルが係止される。
マウス５のケ−ブルは、収納時においては、図１１に示す如く、導入溝１６，係止部１６１→収納溝１７の順に配置される。
【００３８】
なお、マウス５のケ−ブルをケ−ブルストッパー１９より抜き取る事によりマウス５を収納の状態に容易に移行する事が出来る。
また、収納時においても、ケーブル係止部１６１からケーブルを外さないで良いために、オペレータの決めた、マウスのケーブルの最適長を再設定する必要がない。
【００３９】
また、図３に示す第１のマウスパッド１４を使用せずに、第２のマウスパッド１５の一面をマウス５の操作台として使用した場合、縁取り部１３１の頂面は、第２のマウスパッド１５の一面より高い位置となり、縁取り部１３１はマウス５の操作台の外周壁となる。
【００４０】
この事により、マウス５自体の落下防止の対策が出来、マウス５自体の落下防止の対策が得られた操作盤が得られる。
【００４１】
この結果、
（１）図１２従来例において、必要とされていたオペレーションキーボード１２のキーのうち、マウス５の操作にて代用できるキーを削減し、マウス５の操作にとって十分な領域、具体的には、例えば約２００ｍｍ×１８０ｍｍの領域を、マウス操作スペース１１として確保すると共に、オペレータにとって最も作業しやすいと思われるオペレーションキーボード１２の表面に、マウス操作スペース１１が設けられた。
したがって、マウス５の作業性が向上された操作盤が得られる。
【００４２】
そして、オペレータの大半は右利きであるという仮定に立って、オペレーションキーボード１２の表面の右側前方位置にマウス操作スペース１１が確保された。
したがって、マウス５の作業性が向上された操作盤が得られる。
【００４３】
（２）マウス５が収納される箱状のマウス収納スペース１３が、マウス操作スペース１１の下面のオペレーションキーボード１２内に設けられたので、マウス５の収納性が良好な操作盤が得られる。
【００４４】
（３）マウス収納スペース１３の上面を覆って設けられ、一面１４１がオペレーションキーボード１２の表面と同一面をなす第１のマウスパッド１４と、この第１のマウスパッド１４の他面１４２に一面１５１が接して設けられた第２のマウスパッド１５とが設けられた。
【００４５】
この結果、マウスパッド部１４，１５を２重構造とし、表面側の第１のマウスパッドを１４外し、第２のマウスパッド１５を使用することで、マウスパッド面が１段低くなり、外周に低い壁のある状態となる。
このことによって、不用意にマウス５を落下させる恐れが無く、作業性と安全性が良好な操作盤が得られる。
【００４６】
（４）マウス収納スペース１３の周囲のオペレーションキーボード１２に設けられ一端がマウス収納スペース１３に開口し、マウス５のケ−ブルが導入される導入溝１６と、この導入溝１６の一端に一端が連通し、他端がマウス収納スペース１３に開口し、マウス５の収納時にマウス５のケ−ブルが導入される収納溝１７と、導入溝１６一端に一端が連通し他端がオペレーションキーボード１２の表面に開口し、マウスの操作時にマウス５のケ−ブルが導入される操作溝１８とが設けられた。
【００４７】
この結果、操作時には、マウス５のケ−ブルを導入溝１６と操作溝１８とを通して、容易にマウス５を操作し、収納時には、導入溝１６と収納溝１７とを通して、マウス５を容易に収納出来るので、マウス５の作業性と格納性とに優れた操作盤が得られる。
【００４８】
（５）導入溝１６の途中に設けられ、マウス５のケ−ブルを係止し、マウス５のケ−ブルの操作時の長さを規定するケ−ブル係止部１６１が設けられたので、マウス５の操作時にケ−ブルが邪魔になる事無く、マウス５の作業性に優れた操作盤が得られる。
【００４９】
（６）操作溝１８の途中に設けられ、マウス５のケ−ブルを把持固定し、マウス５がオペレーションキーボード１２から落下するのを防止するケ−ブルストッパー１９が設けられたので、マウス５が地上に落下して破損する危険性が無く、マウス５の作業性と安全性に優れた操作盤が得られる。
【００５０】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００５５】
【発明の効果】
以上説明したように、
本発明の請求項１又は２によれば、マウス収納スペースの周囲のオペレーションキーボードに設けられ一端がマウス収納スペースに開口しマウスのケ−ブルが導入される導入溝と、この導入溝の一端に一端が連通し他端がマウス収納スペースに開口しマウスの収納時にマウスのケ−ブルが導入される収納溝と、導入溝の一端に一端が連通し他端がオペレーションキーボードの表面に開口しマウスの操作時にマウスのケ−ブルが導入される操作溝とが設けられた。
【００５６】
この結果、操作時には、マウスのケ−ブルを導入溝と操作溝とを通して、容易にマウスを操作出来、収納時には、導入溝と収納溝とを通して、マウスを容易に収納出来るので、マウスの作業性と格納性とに優れた操作盤が得られる。
【００５７】
本発明の請求項３によれば、導入溝の途中に設けられ、マウスのケ−ブルを係止し、マウスのケ−ブルの操作時の長さを規定するケ−ブル係止部が設けられたので、マウスの操作時にケ−ブルが邪魔になる事無く、マウスの作業性に優れた操作盤が得られる。
【００５８】
本発明の請求項４によれば、操作溝の途中に設けられ、マウスのケ−ブルを把持固定し、マウスがオペレーションキーボードから落下するのを防止するケ−ブルストッパーが設けられたので、マウスが地上に落下して破損する危険性が無く、マウスの作業性と安全性に優れた操作盤が得られる。
【００５９】
従って、本発明によれば、マウスの作業性が向上された操作盤を実現することが出来る。
【図面の簡単な説明】
【図１】本発明の一実施例の要部構成斜視説明図である。
【図２】図１の要部詳細説明図である。
【図３】図２の要部組立図である。
【図４】図３の要部詳細説明図である。
【図５】図４の要部詳細説明図である。
【図６】図５のＡ―Ａ断面図である。
【図７】図５のＢ―Ｂ断面図である。
【図８】図４の要部詳細説明図である。
【図９】図８の側断面図である。
【図１０】マウスの使用状態説明図である。
【図１１】マウスの収納状態説明図である。
【図１２】従来より一般に使用されている従来例の要部構成説明図である。
【符号の説明】
２      ＣＲＴタッチパネル
５      マウス
５１    コネクタ
１１    マウス操作スペース
１２    オペレーションキーボード
１３    マウス収納スペース
１３１  縁取り部
１４    第１のマウスパッド
１４１  一面
１４２  他面
１５    第２のマウスパッド
１５１  一面
１６    導入溝
１６１  係止部
１６２  突起部
１６３  テパー
１７    収納溝
１８    操作溝
１８１  スロープ部
１９    ケ−ブルストッパー
２１    延長ケーブル
２１１  穴
２１２  スタッド
２２    コネクタ
【図１】
0003601668.tif 000002
【図２】
0003601668.tif 000003
【図３】
0003601668.tif 000004
【図４】
0003601668.tif 000005
【図５】
0003601668.tif 000006
【図６】
0003601668.tif 000007
【図７】
0003601668.tif 000008
【図８】
0003601668.tif 000009
【図９】
0003601668.tif 000010
【図１０】
0003601668.tif 000011
【図１１】
0003601668.tif 000012
【図１２】
0003601668.tif 000013